(57)【特許請求の範囲】
【請求項１】
陶磁器製の碗の飲み口以外の外面に把持用の壁部を部分的に一体化し又は別体に、外気に通じる隙間を介して重ねて設けてあり、
さらに前記壁部に窓穴をあけて外気と連通させたり、前記壁部を部分的に配設することで前記壁部以外を露出させたことを特徴とする碗。
【請求項２】
前記の壁部と碗との接する面積又は一体の領域の面積よりも広い領域に渡って、碗の外面と前記壁部との間に隙間又は空間を設けてあることを特徴とする請求項１に記載の碗。
【請求項３】
前記の碗及び／又は前記の壁部の外面を滑り止めのために凹凸ないし粗面化してあることを特徴とする請求項１又は請求項２に記載の碗。
【請求項４】
陶磁器製の碗の飲み口以外の外面に把持用の壁部を部分的に一体化し又は別体に、外気に通じる隙間を介して重ねて設けた構造を製造する際に、
焼失したり抜いたりするシート状体をスペーサーとして碗の外面に重ね、重ねた状態のシート状体の上から、予め一定厚に形成した粘土板を重ねて成型することを特徴とする碗の製造方法。
【発明の詳細な説明】
【技術分野】
【０００１】
コーヒー茶碗のような取っ手が出ていなくても、碗の全体を把持できる断熱碗とその製造方法に関する。
【背景技術】
【０００２】
コーヒー茶碗などは、片側又は左右両側に取っ手が出ているので、中に熱い液体が入っていても、茶碗を持ち上げて持ったり飲んだりできるが、取っ手無しの碗などは、直に持つことは、熱くて困難である。
魔法瓶のような空洞を設けることで熱伝導を悪くして、熱くても持てるようにした構造は特許文献１などで知られているが、茶碗全体を中空の気密構造にするため、製造が困難で高価になったりする問題があり、また温かみの有る手作りは不可能である。
【先行技術文献】
【特許文献】
【０００３】
【特許文献１】実用新案登録第3062680 号
【発明の概要】
【発明が解決しようとする課題】
【０００４】
従って、熱伝導に優れた陶磁器製でありながら、温かみの有る手作りでも製造可能な方法で、取っ手無しでも直に持てる碗を実現できる技術が求められている。特に、地域の特性を生かすことで地域興しに貢献できる技術が熱望されている。
本発明の技術的課題は、このような問題に着目し、取っ手が無くても、熱くなく直に持てる碗を実現することにある。
【課題を解決するための手段】
【０００５】
請求項１は、陶磁器製の碗の飲み口以外の外面に把持用の壁部を部分的に一体化し又は別体に、外気に通じる隙間を介して重ねて設けてあり、
さらに前記壁部に窓穴をあけて外気と連通させたり、前記壁部を部分的に配設することで前記壁部以外を露出させたことを特徴とする碗である。
【０００６】
請求項２は、前記の壁部と碗との接する面積又は一体の領域の面積よりも広い領域に渡って、碗の外面と前記壁部との間に隙間又は空間を設けてあることを特徴とする請求項１に記載の碗である。
【０００７】
請求項３は、前記の碗及び／又は前記の壁部の外面を滑り止めのために凹凸ないし粗面化してあることを特徴とする請求項１又は請求項２に記載の碗である。
【０００８】
請求項４は、陶磁器製の碗の飲み口以外の外面に把持用の壁部を部分的に一体化し又は別体に、外気に通じる隙間を介して重ねて設けた構造を製造する際に、
焼失したり抜いたりするシート状体をスペーサーとして碗の外面に重ね、重ねた状態のシート状体の上から、予め一定厚に形成した粘土板を重ねて成型することを特徴とする碗の製造方法である。
【発明の効果】
【０００９】
請求項１のように、陶磁器製の碗の飲み口以外の外面に把持用の壁部を部分的に一体化し又は別体に、外気に通じる隙間を介して重ねて設け、前記壁部を把持するので、隙間の作用で壁部は断熱され、直接に把持できる。
また一体に接合しないで別体の構造の場合は、より確実に断熱できる上に、別々に洗える。しかも、熱が冷めると、壁部を外して碗だけで扱えるので、壁部が邪魔に思える場合に有利である。
加えて、図１のように前記壁部に窓穴をあけて外気と連通させたり、図４以下のように前記壁部を部分的に配設してある。
【００１０】
請求項２のように、前記の壁部と碗との接する面積又は一体の領域の断面積よりも広い領域に渡って、碗の外面と前記壁部との間の隙間又は空間を設けてあるので、前記碗と壁部との間の断熱が確実となり、熱さを感じないで済む。
【００１１】
請求項３のように、前記の碗及び／又は前記の壁部の外面を滑り止めのために凹凸ないし粗面化してあるので、前記碗が滑ったりして中身がこぼれ、火傷をしたりするのを防止できる。
【００１２】
請求項４のように、陶磁器製の碗の飲み口以外の外面に把持用の壁部を部分的に一体化し又は別体に、外気に通じる隙間を介して重ねて設けた構造を製造する際に、焼失したり抜いたりするシート状体をスペーサーとして碗の外面に重ね、重ねた状態のシート状体の上から、予め一定厚に形成した粘土板を重ねて成型するので、シート状体が焼失したり抜いたりすることで隙間が形成され、一定厚の隙間の形成が容易である。しかも、粘土板は予めローラで一定厚に形成してあるので、前記隙間を薄く形成できることと相まって製品を小型化できる。
【図面の簡単な説明】
【００１３】
【図１】本発明による断熱碗の実施形態を示す斜視図である。
【図２】図１の断熱碗の製造方法を示す斜視図である。
【図３】粘土板の製法の実施形態を示す側面図である。
【図４】隙間を薄くする方法の実施形態を示す正面図である。
【図５】スペーサーを抜き去る実施形態を示す正面図である。
【図６】碗の外周に深溝を形成した実施形態を示す断面図と斜視図である。
【図７】図６の深溝を分割した実施形態を示す平面図である。
【発明を実施するための形態】
【００１４】
次に本発明による断熱碗とその製造方法が実際上どのように具体化されるか実施形態を説明する。図１は、本発明による断熱碗の実施形態を示す斜視図である。１は陶磁器製の碗であり、その外面に、保持用の壁部２をほぼ円筒状に形成してある。壁部２は、上端２１が碗１と一体になっているが、上端２１と下端２２以外は層状の隙間３が介在している。従って、円筒状の壁部２を両手で把持することにより、碗１を持ち上げても、隙間３で断熱されるため、熱くない。
図２は製法を示す斜視図であり、碗１と壁部２を別々に形成する。次いで、ほぼ円筒状の壁部２の上端２１と下端２２を押し潰すなどの手法によって、碗１と一体化する。壁部２を粘土で形成し、乾燥する前に接合し、その後に乾燥し焼成すれば、容易に一体化できる。
【００１５】
前記のように、一体構造の場合は、一つの製品として扱えるので、便利であるが、重いのが難点である。特に、碗１の中身が冷めても、壁部２も持たなければならないので重い。
一体構造の場合は、碗１の底壁１１及び／又は壁部２の下端２２がテーブルや卓や盆などに載ることになる。
円筒状の壁部２は、所定の間隔で窓穴４…を開けて大気との連通口にしてあるが、デザイン上の都合もあって、不可欠な物ではない。なお、窓穴４の形状は任意である。
【００１６】
円筒状の壁部２は、碗１とは分離できるように、別体の構造も不可能ではない。別体の場合は、壁部の上端２１と下端２２を押し潰して碗１と一体化する工程は不要となる。
別体の場合は、碗１を持ち上げる場合のみ壁部２を把持すれば足り、碗１をテーブルや卓や盆などの上に置く場合は、碗１が円筒状の壁部２の中に支持される。従って、円筒状の壁部２の下端２２のみがテーブルや卓や盆などの上に載る構成も可能であり、壁部２の中で碗１の底部１１だけがテーブルや卓や盆などに載る構成でもよい。もちろん、壁部２の下端２２と碗１の底部１１の両方が載る構成でもよい。
【００１７】
把持用の壁部２は、可能な限り薄く形成しないと、全体的に重く大型になり勝ちである。ところが、碗１の外面と壁部２の内面との間は隙間３が有るので、この隙間３をできるだけ薄くする必要がある。
このような事情を考慮すると、図３のように、ローラ５と６の間の一定隙間を通過して一定厚の板状に形成された粘土板７を用いて、筒状に巻き、両端は手で成型するのがよい。窓穴４…は、巻く前に開けてもよいし、巻いた後に開けてもよい。なお、うどんや蕎麦を伸ばすように、手や足で粘土を平坦に伸ばすことも可能であり、１本のローラを水平にあてて、押し転がしてもよい。
【００１８】
図４は別の実施形態を工程順に示す正面図である。（１）のような碗１はロクロ等を用いて従来の手法で成型されるが、図３のようにして形成した粘土板７を円筒状に巻き、底板１１を接合して碗１を形成してもよい。
次に、（２）のような四角形の紙８などをスペーサーとして重ねるが、この紙８は、例えば四隅を切り欠いて例えば凹部９を形成してある。（３）は、この紙８を碗１の正面に重ねた状態である。隙間を厚くしたい場合は、紙を複数枚重ねたり、厚紙を用いるとよい。
この紙８の上から、先に形成した粘土板７を重ねて貼ると、（４）のようになる。このとき、紙８より小さめに粘土板７を貼り、紙８の四隅の凹部９のみで押し潰して碗１と接合する。従って、紙８の上下左右の真っすぐの辺は露出する。
【００１９】
その結果、焼成の際に紙８は焼失して、完成すると（５）の状態となり、紙８が焼失した後に隙間が形成される。この隙間が図１の隙間３と同じく断熱作用をする。図４は正面のみを示したが、背面も全く同様な構成となる。
従って、碗１に重ねて形成した壁部７’を両手で把持しても、隙間の断熱作用が働き、取っ手無しでも持てる。
【００２０】
窯で焼成する際に紙８を焼失させるが、煙や煤を嫌う最近の電気窯を使用する場合は、図５のように、紙８１は抜き取る方法を採る。図５（１）のように、紙81より広い領域に粘土板71を重ねて、少なくとも四隅を軽く押し着けた仮づけの状態で、紙８１を矢印ａ１方向に抜き取る。このとき、紙８１は複数枚重ねとし、水分の少ない碗１側を先に抜き取り、抵抗を少なくしてから、粘土板７１と接している紙を抜き去るとよい。こうして、隙間を形成してから、粘土板71の少なくとも四隅を強く押し着けて本づけし碗１に接着する。
或いは、（２）のように、紙82より広い領域に粘土板72を重ねて少なくとも四隅を軽く押し着けた状態で、紙８２を矢印ａ２方向に抜き取って、隙間を形成してから、粘土板72の少なくとも四隅を強く押し着けて碗１に接着する。
なお、確実に粘土板の四隅だけを接着して通気性を良くしたければ、紙８１と８２をクロスさせて重ねて使用し、粘土板の四隅だけを接着してから、紙８１、８２を抜き取るとよい。
【００２１】
図１の構造で、碗１と壁部２とが別体だと、壁部２がテーブルや卓や盆に載る構造となるが、その場合でも、壁部２の内周が碗１の外周より僅かに大きいので、紙などを挟んだ状態で焼成するのが好ましい。その結果、紙などが焼失した後の隙間３ができるが、この隙間分だけの寸法差ができる。
【００２２】
壁部２の外面には、滑り止めのために粗面化するのがよい。例えば、軟らかい粘土の状態で、木の葉を押しつけて、葉脈を利用した凹凸を形成するのがよい。このとき、パパイアやマンゴーやゴーヤーやヘチマやデイゴなどの葉を押しつけると、沖縄で焼いた碗であると分かる。なお、魚の骨を押し着けて凹凸を形成してもよい。碗１のみを把持する可能性がある場合は、碗１の外面も粗面化するとよい。
粗面化に代えて、子どもや赤ちゃんや大人の手形や足型を付け、沖縄旅行の記念にしてもよい。結婚式の引き出物用として、新郎新婦の名を凹凸で記してもよい。
【００２３】
図６（１）のように、碗１の外面に厚紙８を重ねて巻き、その上に粘土板７３を重ねて、その下端を碗１と一体化することで、図６（２）のように厚紙８の跡に深溝３１ができる構成もよい。この構造だと、壁部７３を把持すると熱く無いだけでなく、深溝３１にハーブやコーヒー豆や茶葉などを入れて、その香りを楽しむこともできる。
図６（２）の粘土板７３に縦板を押し付けたりして、図７（１）のように、深溝３１を２分割してもよいし、図７（２）のように、深溝３１を４分割することもできる。このように、複数分割することで、複数種類の香りを楽しんだり、メモ用紙を挿入したり、いろいろな用途に使える。
【００２４】
壁部２は、必ずしも、碗１の全周に設ける必要はなく、少なくとも両手で把持する領域にわたって配設してあれば足りる。従って、図１、２の壁部２は、途切れていても支障は無い。
前記の紙や厚紙は、焼失するシート状体であれば足り、木の葉やカンナ屑などを用いることも可能である。厚さが足りない場合は、複数枚を重ねてもよい。電気窯で焼成する場合のように、スペーサーを抜き取る場合は、燃えない材料を用い、抜き代を設けてもよい。
【産業上の利用可能性】
【００２５】
以上のように、円筒状や途切れた円筒状の壁部が碗の外周に付いており、しかも隙間が介在しているので、取っ手が無くても熱くなく、碗を持ち上げることができる。
【符号の説明】
【００２６】
１  陶磁器製の碗
１１  底部
２  保持用の円筒状の壁部
２１  上端
２２  下端
３  隙間
31  深溝
４  窓穴
５・６  ローラ
７・７′・71・72・73  粘土板
73  粘土板を巻いた壁部
８  厚紙などのスペーサー
９  凹部
【要約】
【課題】取っ手が無くても、熱くなく直に持てる断熱碗とその製法を実現する。
【解決手段】陶磁器製の碗の外面に保持用の壁部を一体に隙間を介して重ねて設け、前記壁部は少なくとも両手で把持する領域にわたって配設してあるので、隙間の作用で壁部は断熱され、両手で直に碗を熱くなく把持できる。また別体の構造の場合は、より確実に断熱できる上に、別々に洗える。また、熱が冷めると、壁部を外して碗だけで扱えるので、壁部が邪魔に思える場合に有利である。前記の壁部の外面を滑り止めのために凹凸ないし粗面化してあると、滑ったりして中身がこぼれ、火傷するのを防止できる。
【選択図】図１【図１】
0005541820.tif 000002
【図２】
0005541820.tif 000003
【図３】
0005541820.tif 000004
【図４】
0005541820.tif 000005
【図５】
0005541820.tif 000006
【図６】
0005541820.tif 000007
【図７】
0005541820.tif 000008